(57)【要約】棒鋼締結構造を開示する。この棒鋼締結構造は、内周に雌ネジを有する締結具と、雌ネジに結合する雄ネジを有する棒鋼とを含んでなる。棒鋼は締結具内に押し込まれる。雌ネジおよび雄ネジはそれぞれのネジ山の頂が切り出された状態で形成される。これにより、棒鋼が締結具に強く結合するとき、雌ネジと雄ネジの隣接したネジ山の頂とネジ谷の底とは互いに接せず、雌ネジと雄ネジのネジ山とネジ谷の両側の傾斜面は互いに強く密着する。
2010513819.tif 000002
【特許請求の範囲】
【請求項１】
内周に第１雌ネジ（４０）を有する締結具（１００）と、
前記第１雌ネジ（４０）に結合する第２雄ネジ（７０）を有し、前記締結具内に押し込まれる棒鋼（５０）とを備え、
前記第１雌ネジ（４０）および第２雄ネジ（７０）はそれぞれのネジ山の頂が切り出された状態で形成されることにより、
前記棒鋼（５０）が締結具（１００）に強く結合するとき、前記第１雌ネジ（４０）と前記第２雄ネジ（７０）の隣接したネジ山の頂（５１２）とネジ谷の底（５１４）とは互いに接せず、前記第１雌ネジ（４０）と前記第２雄ネジ（７０）のネジ山とネジ谷の両側の傾斜面（５１６）は互いに強く密着することを特徴とする、棒鋼締結構造。
【請求項２】
全体的に円筒状で、内周に第１雌ネジ（４０）が設けられ、中央から両端に向かって外径が減少するように傾いており、その外周の傾斜部分には第１雄ネジ（１６０）が設けられ、両端には長手方向に多数のスリット（１５０）が設けられた締結具（１００）と、
前記第１雄ネジ（１６０）にそれぞれ締結される２つのナット（１１０）と、前記第１雌ネジ（４０）に締結される第２雄ネジ（７０）が外周に設けられた棒鋼（５０）とを含んでなる棒鋼締結構造において、
前記棒鋼（５０）の第２雄ネジ（７０）の周りは、前記締結具（１００）の内周に設けられた第１雌ネジ（４０）の周りに完全密着しないように、前記第１雌ネジの周りより小さく、
前記第１雌ネジ（４０）および前記第２雄ネジ（７０）はそれぞれのネジ山の頂が切り出された状態で形成されることにより、
前記棒鋼（５０）を前記締結具（１００）内に押し込んだ後、前記ナット（１１０）を前記締結具（１００）の外周の第１雄ネジ（１６０）に締結することにより、前記スリット（１５０）が狭くなりながら前記棒鋼（５０）が前記締結具（１００）に強く結合するとき、前記雌ネジと前記雄ネジの隣接したネジ山の頂とネジ谷の底とは互いに接せず、前記雌ネジと前記雄ネジのネジ山とネジ谷の両側の傾斜面は互いに強く密着することを特徴とする、棒鋼締結構造。
【請求項３】
前記スリット（１５０）は、放射状に４個以上が設けられていることを特徴とする、請求項２に記載の棒鋼締結構造。
【請求項４】
前記スリット（１５０）は、前記締結具（１００）の両端に互いにずれるように位置し、前記締結具（１００）の両端から中央を通り過ぎて設けられることを特徴とする、請求項３に記載の棒鋼締結構造。
【請求項５】
前記棒鋼（５０）の端部（７１）に位置したネジ山の一部をネジ谷の深さまで無くし、残ったネジ山のうち、端部ネジ山（７２）には第１端面（７４）が設けられ、前記締結具（１００）の内部の中央部分にはネジ谷を有しない充填部（４２）が設けられることを特徴とする、請求項４に記載の棒鋼締結構造。
【請求項６】
内周に一定の間隔で長手方向に対して直角な第１凹部（２２２）および第１凸部（２２４）を有する締結具（１００）と、
前記第１凹部（２２２）および前記第１凸部（２２４）に嵌合される、長手方向に対して直角な第２凹部（２２６）および第２凸部（２２８）を有し、前記締結具（１００）内に押し込まれる棒鋼（５０）とを含んでなり、
前記締結具（１００）の第１凸部（２２４）の高さは前記棒鋼（５０）の第１凹部（２２２）の深さよりさらに高くなく、前記締結具（１００）の第１凹部（２２２）の深さは前記棒鋼（５０）の第２凸部（２２８）の高さよりさらに深いため、前記締結具（１００）と前記棒鋼（５０）とが結合するとき、前記締結具（１００）と前記棒鋼（５０）の凹んだ部分と突出した部分の頂点が互いに接せず、凸凹な部分の両側の傾斜面が互いに強く密着することを特徴とする、棒鋼締結構造。
【請求項７】
長手方向に多数個に分離されており、これを合わせると全体的に円筒状をし、中央から両端に向かって外径が減少するように傾いており、その外周には第１雄ネジ（１６０）が設けられ、内周には一定の間隔で長手方向に直角な第１凹部（２２２）および第１凸部（２２４）が設けられる締結具（１００）と、
前記第１雄ネジ（１６０）にそれぞれ締結される２つのナット（１１０）と、
前記第１凹部（２２２）および前記第１凸部（２２４）に嵌合される、第２凹部（２２６）および第２凸部（２２８）が長手方向に対して直角に外周に設けられた棒鋼（５０）と、
を含んでなる棒鋼締結構造において、
前記分離された締結具（１００）を２つの棒鋼（５０）の間に位置させ、前記締結具（１００）の両端の傾斜部分でナット（１１０）をそれぞれの前記第１雄ネジ（１６０）に締結することにより、分離された締結具（１００）が互いに近接しながら、前記締結具（１００）の内周の直径も狭くなり、前記締結具（１００）の第１凸部（２２４）の高さは前記棒鋼（５０）の第１凹部（２２２）の深さよりさらに高くなく、前記締結具（１００）の第１凹部（２２２）の深さは前記棒鋼（５０）の第２凸部（２２８）の高さよりさらに深いため、前記締結具（１００）と前記棒鋼（５０）とが結合するとき、前記締結具（１００）と前記棒鋼（５０）の凹な部分と凸な部分の頂点が互いに接せず、凸凹な部分の両側の傾斜面が互いに強く密着することを特徴とする、棒鋼締結構造。
【請求項８】
前記分離されたそれぞれの締結具（１００）の内周から内方に突出した突部（１３５）を含んでなり、２つの前記棒鋼（５０）が前記締結具（１００）に結合するとき、前記棒鋼（５０）の位置が前記締結具（１００）の中心部をそれ以上通過しないように構成されたことを特徴とする、請求項７に記載の棒鋼締結構造。
【請求項９】
前記締結具（１００）の中央には、のぞき窓（３５）が設けられたことを特徴とする、請求項１〜８のいずれか１項に記載の棒鋼締結構造。
【発明の詳細な説明】
【技術分野】
【０００１】
本発明は、棒鋼締結構造に関する。さらに詳しくは、本発明は、締結具の外周に雄ネジおよびスリットを設け、棒鋼を締結具内に押し込んだ後、ナットを締結具の雄ネジに締結することにより、スリットが狭くなりながら、棒鋼の雄ネジの傾斜面と締結具の内周に設けた雌ネジの傾斜面とが強く密着する、棒鋼締結構造に関する。
【背景技術】
【０００２】
図１は従来の一般なボルトナット締付具を示す断面図である。
【０００３】
第１の従来の技術である、図１の一般なボルトナット締付具は、一端に雄ネジ９４が設けられた棒鋼（鉄筋）９２と、前記棒鋼９２の押し込まれる内周に雌ネジ９１が設けられたナット９０とを含んでなる。
【０００４】
前記雄ネジ９４はネジ谷の深さが棒鋼９２の一端９３から遠くなるほど浅くなるように設けられ、前記雌ネジ９１は一定なネジ形状を持つように設けられる。
【０００５】
したがって、図１（ａ）の状態で棒鋼９２をナット９０に押し込むと、図１（ｂ）に示すように、棒鋼９２の一端９３の雄ネジ９４はナット９０の雌ネジ９１に容易に締結されながら押し込まれるが、棒鋼９２の一端９３から所定の距離離れて位置した雄ネジ９４のネジ谷はナット９０の雌ネジ９１のネジ山によって締め付けられる。その結果、棒鋼９２とナット９０とが締結される。
【０００６】
図２は従来の棒鋼締結具を示す分解斜視図および断面図、図３は図２の結合断面図である。
【０００７】
第２の従来の技術である、図２の棒鋼締結具は、全体的に円筒状の締結具１と、前記締結具１の内部に押し込まれる棒鋼５と、前記棒鋼５の押し込まれた締結具１を締め付けるナット１０とを含んでなる。
【０００８】
前記締結具１は、内周に設けられた第１雌ネジ４と、外周の両端に向かって外径が減少するように傾いた傾斜部３と、前記傾斜部３に設けられた第１雄ネジ１６と、締結具１の長手方向に多数設けられたスリット１５とを含んでなる。
【０００９】
前記棒鋼５は、先端の外周に設けられた第２雄ネジ７と、前記第２雄ネジ７の後方に設けられた突出部８とを含んでなる。
【００１０】
前記ナット１０には、前記第１雄ネジ１６に締結される第２雌ネジ１２が設けられる。
【００１１】
次に、前述したように構成された従来の棒鋼締結具の作動について説明する。
【００１２】
図２に示すように、棒鋼締結具の各構成要素が分離された状態で前記棒鋼５を締結具１に押し込むと、図３に示すように、第２雄ネジ７が第１雌ネジ４に螺合され、この状態でナット１０を締結具１に結合させると、突出部８と前記第１雌ネジ４の外側に設けられた内壁１７とが摩擦によって密着する。
【００１３】
ところが、前述した第１および第２の従来の技術は次の問題がある。
【００１４】
雌ネジと雄ネジを用いた締結構造は、締結と締付の２つの機能がなければならない。締結は雌ネジと雄ネジとの間に間隙があれば可能であり、締付方法は別途に設けられなければならない。
【００１５】
第１の従来の技術の締付方法では、前記雄ネジ９４の端部に設けられるネジ谷を低くし、雌ネジ９１のネジ山が雄ネジ９４のネジ谷に密着することにより、締付が実現される。
【００１６】
ところが、このような締付は、一部のみが密着し、残部は既存の間隙がある状態なので、瞬間的な強い衝撃、例えば地震荷重または風荷重などによって、密着していた部分が微細に滑って変形が発生する。
【００１７】
通常、このような締結具は、コンクリートと一緒に使用され、コンクリートと棒鋼が荷重を分けて受け止める。前記締結具における微細な変形により、棒鋼が受けるべき荷重を受け止められずコンクリートに転嫁することにより、コンクリートが荷重に耐えられずに崩壊に至るおそれがあるという問題を抱えている。
【００１８】
第２の従来の技術も、締結構造と締付構造を区分して目的をなす構造であるが、ネジ部分自体に間隙を持っており、締付部分は棒鋼の表面と締結具のネジのネジ山部分の表面とが密着して締付が実現されるように構成されている。ところが、表面の摩擦力よりさらに大きい荷重が発生する場合には相対的に滑るおそれがあり、ネジ部分の間隙分だけ変形が生じ、第１の従来の技術と同様の問題を抱えている。
【発明の概要】
【発明が解決しようとする課題】
【００１９】
そこで、本発明は、上述した従来の技術の問題点を解決するためのもので、その目的は、締結方法は棒鋼よりさらに大きい締結具を設けることにより実現し、締付方法は締結具に長手方向にスリットを設け、このスリットが締結具の外周のナットによって締め付けられるようにすることにより達成されるが、ネジの締付構造において、締結具と棒鋼のネジ山とネジ谷とが長手方向に接触せず、締結具と棒鋼のネジ山とネジ谷の両側の傾斜面で強く密着するようにして、長手方向の滑りが発生しない構造であって、地震荷重または風荷重のような瞬間的に大きい振動などにも変形が発生しないようにする、棒鋼締結構造を提供することにある。
【課題を解決するための手段】
【００２０】
上記目的を達成するために、本発明は、内周に雌ネジを有する締結具と、前記雌ネジに結合する雄ネジを有し、前記締結具内に押し込まれる棒鋼とを備えるが、前記雄ネジおよび前記雄ネジはそれぞれのネジ山の頂が切り出された状態で形成されることにより、前記棒鋼が締結具に強く結合するとき、前記雌ネジと前記雄ネジの隣接したネジ山の頂とネジ谷の底とは接せず、前記雌ネジと前記雄ネジのネジ山とネジ谷の両側の傾斜面は互いに強く密着することを特徴とする、棒鋼締結構造を提供する。
【００２１】
また、本発明は、全体的に円筒形で、内周に第１雌ネジを有し、中央から両端に向かって外径が減少するように傾いており、その外周の傾斜部分には第１雄ネジが設けられ、両端には長手方向に多数のスリットが設けられた締結具と、前記第１雄ネジにそれぞれ締結される２つのナットと、前記第１雌ネジに締結される第２雄ネジが外周に設けられた棒鋼とを含んでなる棒鋼締結構造において、前記棒鋼の第２雄ネジの周りは締結具の内周に設けられた第１雌ネジの周りに完全密着しないように第１雌ネジの周りより小さく、前記第１雌ネジおよび第２雄ネジはそれぞれのネジ山の頂が切り出された状態で形成され、前記棒鋼を締結具内に押し込んだ後、ナットを締結具の外周の第１雄ネジに締結することにより、スリットが狭くなりがら前記棒鋼が締結具に強く結合するとき、前記雌ネジと前記雄ネジの隣接したネジ山の頂とネジ谷の底とは互いに接せず、前記雌ネジと前記雄ネジのネジ山とネジ谷の両側の傾斜面は互いに強く密着することを特徴とする、棒鋼締結構造を提供する。
【００２２】
前記スリットは、放射状に４個以上が設けられてもよく、前記締結具の中央には、のぞき窓が設けられてもよい。
【００２３】
また、前記スリットは、前記締結具の両端に互いにずれるように位置し、前記締結具の両端から中央を通り過ぎて設けられてもよく、前記棒鋼の端部に位置したネジ山の一部をネジ谷の深さまで無くし、残ったネジ山のうち、端部ネジ山の第１端面は棒鋼の長手方向と水平になるように設け、前記締結具内のネジ谷の一部をネジ山の高さまで埋め立て、残ったネジ谷の中央ネジ谷の第２端面は締結具の長手方向と水平になるように設けるが、前記棒鋼が締結具内に押し込まれて前記第１端面と前記第２端面とが突き合わされると、それ以上棒鋼が締結具内に押し込まれないように設けられてもよい。
【００２４】
一方、本発明は、内周に一定の間隔で長手方向に対して直角な第１凹部および第１凸部を有する締結具と、前記第１凹部および第１凸部に嵌合される、長手方向に対して直角な第２凹部および第２凸部を有し、前記締結具内に押し込まれる棒鋼とを含んでなるが、前記締結具の第１凸部の高さは棒鋼の第１凹部の深さよりさらに高くなく、締結具の第１凹部の深さは棒鋼の第２凸部の高さよりさらに深いため、締結具と棒鋼とが結合するとき、締結具と棒鋼の凹んだ部分と突出した部分の頂点が互いに接せず、凸凹な部分の両側の傾斜面が互いに強く密着することを特徴とする、棒鋼締結構造を提供する。
【００２５】
本発明は、長手方向に多数個に分離されており、これを合わせると全体的に円筒状をし、中央から両端に向かって外径が減少するように傾いており、その外周表面に第１雄ネジが設けられ、内周には一定の間隔で長手方向に対して直角な第１凹部および第１凸部が設けられる締結具と、前記第１雄ネジにそれぞれ締結される２つのナットと、前記第１凹部および第１凸部に嵌合される第２凹部および第２凸部が長手方向に対して直角に外周に設けられた棒鋼とを含んでなる棒鋼締結構造において、前記分離された締結具を２つの棒鋼の間に位置させ、締結具の両端の傾斜部分でナットをそれぞれの第１雄ネジに締結することにより、分離された締結具が互いに近接しながら締結具の内周の直径も狭くなり、前記締結具の第１凸部の高さは棒鋼の第１凹部の深さよりさらに高くなく、締結具の第１凹部の深さは棒鋼の第２凸部の高さよりさらに深いため、締結具と棒鋼とが結合するとき、締結具と棒鋼の凹んだ部分と突出した部分の頂点が互いに接せず、凸凹な部分の両側の傾斜面が互いに強く密着することを特徴とする、棒鋼締結構造も提供する。
【００２６】
前記分離されたそれぞれの締結具の内周から内方に突出した突部を含んでなり、２つの棒鋼が締結具に結合するとき、棒鋼の位置が締結具の中心部をそれ以上通過しないように構成されてもよい。
【図面の簡単な説明】
【００２７】
【図１】図１は従来の一般ボルトナット締付具の断面図である。
【図２】図２は従来の棒鋼締結具の分解斜視図および断面図である。
【図３】図３は図２の結合断面図である。
【図４】図４は本発明の第１実施例に係る棒鋼締結構造を示す分解斜視図である。
【図５】図５は図４の断面図である。
【図６】図６は図５の一部結合した状態の断面図である。
【図７】図７は図５の要部拡大図である。
【図８】図８は図６のＢ部分の拡大図である。
【図９】図９は本発明の第２実施例に係る棒鋼締結構造を示す分解斜視図である。
【図１０】図１０は本発明の第３実施例に係る棒鋼締結構造を示す斜視図である。
【発明を実施するための形態】
【００２８】
以下に添付図面を参照しながら、本発明の好適な実施例について詳細に説明する。まず、各図面の構成要素に参照番号を付加するときに、同一の構成要素については、他の図面上に表示されても、出来る限り同一の番号を付することに留意すべきであろう。なお、本発明を説明するときに、関連した公知の構成または機能に対する具体的な説明が本発明の要旨をわかりにくくするおそれがあると判断される場合には、その詳細な説明を省略する。
【００２９】
図４は本発明の第１実施例に係る棒鋼締結構造を示す分解斜視図である。図５は図４の棒鋼締結構造を示す断面図であり、図６は図５の結合状態を示す断面図である。
【００３０】
本発明の第１実施例によれば、棒鋼締結構造は締結具１００、ナット１１０、および棒鋼５０を含んでなる。
【００３１】
さらに詳しくは、前記締結具１００は、全体的に円筒状をし、内周に設けられた第１雌ネジ４０、中央から両端に向かって外径が減少するように傾いた傾斜部３０、前記傾斜部３０上に設けられた第１雄ネジ１６０、および両端に長手方向に設けられた多数のスリット１５０とを含んでなる。
【００３２】
また、前記ナット１１０は、締結具１００の外周の第１雄ネジ１６０に嵌合されるように、内周に第２雌ネジ１１２が傾斜して設けられる。
【００３３】
また、前記棒鋼５０の第２雄ネジ７０の周りは、締結具１００の内周に設けられた第１雌ネジ４０の周りに完全密着しないように第１雌ネジ４０の周りより小さく設けられ、前記第１雌ネジ４０および第２雄ネジ７０は、それぞれのネジ山の頂が切り出された状態で設けられる。
【００３４】
前記棒鋼５０の外周には、前記第１雌ネジ４０に締結される第２雄ネジ７０が設けられる。
【００３５】
前記棒鋼５０の端部７１に位置したネジ山の一部をネジ谷の深さまで無くし、残ったネジ山のうち、端部ネジ山７２には第１端面７４が設けられ、締結具１００の内部の中央部分にはネジ谷を有しない充填部４２が設けられ、前記充填部４２の端部には第２端面４４が設けられるが、前記棒鋼５０が締結具１００の内部に押し込まれて前記第１端面７４と前記第２端面４４とが互いに突き合わされると、それ以上棒鋼５０が締結具１００内に押し込まれない。
【００３６】
よって、両方の棒鋼５０は、締結具１００の内部中央で正確に密着する。
【００３７】
前記締結具１００の外周の第１雄ネジ１６０およびスリット１５０は、外周の両端から中央の水平部３７まで位置する。
【００３８】
前記スリット１５０は、各傾斜部上に４つが放射状に設けられる。前記締結具１００の中央の水平部３７には、のぞき窓３５が設けられる。
【００３９】
次に、前述したような構成を持つ本発明に係る棒鋼締結構造の作動について説明する。
【００４０】
図７は図５の要部を示す拡大図、図８は図６のＢ部分を示す拡大図である。
【００４１】
図５に示すように締結具１００、ナット１１０および棒鋼５０が分離された状態で、前記棒鋼５０を締結具１００の内部に押し込んだ後、ナット１１０を締結具１００の外周の第１雄ネジ１６０に締結させると、図６に示したような状態になる。
【００４２】
図７は、図５のナット１１０が締結具１００に結合していない状態で前記棒鋼５０を締結具１００の内部に押し込んだ状態を示し、第２雄ネジ７０と第１雌ネジ４０との間には図７（ｂ）のような間隔が設けられる。
【００４３】
第２雄ネジ７０と第１雌ネジ４０に設けられたネジ山は、図７（ａ）〜図７（ｄ）に示すように様々な形状を有する。
【００４４】
図７のような状態でナット１１０を締結具１００の外周の第１雄ネジ１６０に締結させると、図６のような状態になり、前記ナット１１０を締結具１００の中央に移動させると、第２雌ネジ１１２が第１雄ネジ１６０に嵌合されることにより、図４の各スリット１５０が狭くなりながら、前記棒鋼５０が締結具１００に強く結合するとき、前記第１雌ネジ４０と前記第２雄ネジ７０の隣接したネジ山の頂５１２とネジ谷の底５１４とは互いに接せず、第１雌ネジ４０と第２雄ネジ７０のネジ山とネジ谷の両側の傾斜面５１６は互いに強く密着する。
【００４５】
前記のぞき窓３５を介して第２雄ネジ７０と第１雌ネジ４０との結合度合いを確認しながら、ナット１１０を締結具１００の中央に移動させ続けると、前記第２雄ネジ７０と第１雌ネジ４０間の隣接したネジ山の頂とネジ谷の底との間に設けられる第１空間５１８が狭くなることにより、第２雄ネジ７０と第１雌ネジ４０間の隣接した傾斜面５１６は互いにさらに強く密着する。
【００４６】
図８（ａ）〜図８（ｄ）には、ネジ山の形態によって、第２雄ネジ７０と第１雌ネジ４０間の様々な密着した形状が示される。
【００４７】
また、異物が前記第１空間５１８に存在する場合にも、第２雄ネジ７０と第１雌ネジ４０間の螺合に影響を及ぼさず、前記傾斜面５１６には異物が存在し難く、前記傾斜面５１６には異物が存在する場合にも第２雄ネジ７０と第１雌ネジ４０との結合過程で前記第１空間５１８へ移動する。
【００４８】
したがって、本発明に係る棒鋼締結構造は、第２雄ネジ７０と第１雌ネジ４０とが正確に嵌合されるように設けられる場合よりさらに堅く結合し、地震などの強い振動または衝撃にも強い結合力が維持される。
【００４９】
図９は本発明の第２実施例に係る棒鋼締結構造を示す分解斜視図である。
【００５０】
前記スリット１５０は、締結具１００の両端に互いにずれるように位置し、締結具１００の両端から中央を通り過ぎて設けられる。
【００５１】
したがって、図９のような状態では、スリット１５０が締結具１００の両端に互いにずれるように位置し、締結具１００の中央においても互いに出会わずに通過するので、傾斜部３０の長さを締結具１００の両端から中心までに伸ばすことができるため、さらに緩やかに形成される。
【００５２】
これにより、ナット１１０を締結具１００に結合させる場合には、ナット１１０は締結具１００の中央にさらに深く締結でき、第２雄ネジ７０と第１雌ネジ４０との嵌合も徐々にかつ広い範囲で行われ、結果として第２雄ネジ７０と第１雌ネジ４０間の隣接した傾斜面５１６もさらに伸びることになり、さらに強く密着する。
【００５３】
一方、本発明は、締結具と棒鋼との結合部分がネジではなく凸凹な表面からなる棒鋼締結構造も提供するが、図１０は本発明の第３実施例に係る棒鋼締結構造を示す斜視図である。
【００５４】
図１０に示すように、本発明の棒鋼締結構造は、長手方向に多数個に分離されており、これを合わせると全体的に円筒状をし、中央から両端に向かって外径が減少するように傾いており、その外周の傾斜部分には第１雄ネジ１６０が設けられ、内周には一定の間隔で長手方向に対して直角な第１凹部２２２および第１凸部２２４を有する締結具１００と、前記第１雄ネジ１６０にそれぞれ締結される２つのナット１１０と、前記第１凹部２２２および第１凸部２２４に嵌合される、第２凹部２２６および第２凸部２２８が長手方向に対して直角に外周に設けられた棒鋼５０とを含んでなる。
【００５５】
前記分離された締結具１００を２つの棒鋼５０の間に位置させ、締結具１００の両端の傾斜部分でナット１１０をそれぞれの第１雄ネジ１６０に締結することにより、分離された締結具１００が互いに近接しながら、締結具１００の内周の直径も狭くなり、前記締結具１００の第１凸部２２４の高さは棒鋼５０の第１凹部２２２の深さよりさらに高くなく、締結具１００の第１凹部２２２の深さは棒鋼５０の第２凸部２２８の高さよりさらに深いため、締結具１００と棒鋼５０とが結合するとき、締結具１００と棒鋼５０の凹んだ部分と突出した部分の頂点が互いに接せず、凸凹な部分の両側の傾斜面が互いに強く密着する。
【００５６】
前記分離されたそれぞれの締結具１００の内周から内方に突出した突部１３５を含んでなり、２つの棒鋼５０が締結具１００に結合するとき、棒鋼５０の位置が締結具１００の中心部をそれ以上通過しないように構成される。
【００５７】
以上、本発明の好適な実施例について説明の目的で開示したが、当業者であれば、添付した請求の範囲に開示された本発明の精神と範囲から逸脱することなく、様々な変形、追加または置換を加え得ることを理解するであろう。
【産業上の利用可能性】
【００５８】
上述したように、本発明は、ナットが締結具の外周を締め付けることにより、スリットが狭くなりながら棒鋼の雄ネジと締結具の内周の雌ネジとの結合力が大幅増加するという効果があって、大きい地震または風の荷重に耐えられる構造を実現し得るようにして、超高層建物の安全な設計を可能にすることができる。
【符号の説明】
【００５９】
３０  傾斜部
４０  雌ネジ
５０  棒鋼
７０  雌ネジ
１００  締結具
１１０  ナット
【図１】
2010513819.tif 000003
【図２】
2010513819.tif 000004
【図３】
2010513819.tif 000005
【図４】
2010513819.tif 000006
【図５】
2010513819.tif 000007
【図６】
2010513819.tif 000008
【図７】
2010513819.tif 000009
【図８】
2010513819.tif 000010
【図９】
2010513819.tif 000011
【図１０】
2010513819.tif 000012
【国際調査報告】
2010513819.tif 000013
2010513819.tif 000014